(57)【要約】【課題】手術の練習が可能な解剖学的に正確な肺模型を提供する。【解決手段】ベース板１１と、ベース板１１にその一端が取付けられ、６つの左肺動脈、４つの左肺静脈、及び３つの左気管支をそれぞれ模式化した屈曲可能な弾性体からなる第１〜第１３の棒状体１２〜２４と、第１〜第１３の棒状体１２〜２４を介してベース板１１に取付けられ、内部に柔軟性を有する充填材２５が充填され、２つの左肺葉を模式化した第１及び第２の袋体２６、２７とを有し、第１〜第６の棒状体１２〜１７、第７〜第１０の棒状体１８〜２１、及び第１１〜第１３の棒状体２２〜２４がそれぞれ色分けされ、しかも、第１〜第１３の棒状体１２〜２４がベース板１１と、第１及び第２の袋体２６、２７とに立体的に取付けられている。【選択図】図１
0003125070.tif 000002
【実用新案登録請求の範囲】
【請求項１】
左肺の第１〜第６の左肺動脈、第１〜第４の左肺静脈、第１〜第３の左気管支、及び第１、第２の左肺葉を模式化した肺模型であって、
ベース板と、
前記ベース板にその一端が取付けられ、前記６つの左肺動脈、前記４つの左肺静脈、及び前記３つの左気管支をそれぞれ模式化した屈曲可能な弾性体からなる第１〜第１３の棒状体と、
前記第１〜第１３の棒状体を介して前記ベース板に取付けられ、内部に柔軟性を有する充填材が充填され、前記２つの左肺葉を模式化した第１及び第２の袋体とを有し、
前記第１〜第６の棒状体、前記第７〜第１０の棒状体、及び前記第１１〜第１３の棒状体がそれぞれ色分けされ、
しかも、前記第１〜第４、第７、第８、第１１、及び第１２の棒状体は他端が前記第１の袋体に接続され、前記第５、第６、第９、第１０、及び第１３の棒状体は他端が前記第２の袋体に接続され、前記第１〜第１３の棒状体が前記ベース板と、前記第１及び第２の袋体とに立体的に取付けられていることを特徴とする肺模型。
【請求項２】
右肺の第１〜第６の右肺動脈、第１〜第５の右肺静脈、第１〜第３の右気管支、第１〜第３の右肺葉、及び奇静脈を模式化した肺模型であって、
ベース板と、
前記ベース板にその一端が取付けられ、前記６つの右肺動脈、前記５つの右肺静脈、前記３つの右気管支、及び奇静脈をそれぞれ模式化した屈曲可能な弾性体からなる第１〜第１５の棒状体と、
前記第１〜第１４の棒状体を介して前記ベース板に取付けられ、内部に柔軟性を有する充填材が充填され、前記３つの右肺葉を模式化した第１〜第３の袋体とを有し、
前記第１〜第６の棒状体、前記第７〜第１１の棒状体、前記第１２〜第１４の棒状体、及び前記第１５の棒状体がそれぞれ色分けされ、
しかも、前記第１、第２、第７、第８、及び第１２の棒状体は他端が前記第１の袋体に接続され、前記第３、第４、第９、及び第１３の棒状体は他端が前記第２の袋体に接続され、前記第５、第６、第１０、第１１、及び第１４の棒状体は他端が前記第３の袋体に接続され、前記第１５の棒状体は両端が前記ベース板に接続され、
前記第１〜第１４の棒状体が前記ベース板と、前記第１〜第３の袋体とに立体的に取付けられていることを特徴とする肺模型。
【請求項３】
請求項１及び２のいずれか１項に記載の肺模型において、前記棒状体は、手術器具で切断可能であることを特徴とする肺模型。
【請求項４】
請求項３記載の肺模型において、前記棒状体は、スポンジ、ゴム、及びシリコンのいずれか１又は２以上によって形成されていることを特徴とする肺模型。
【請求項５】
請求項１〜４のいずれか１項に記載の肺模型において、前記ベース板には、人体内部の構造が描かれていることを特徴とする肺模型。
【請求項６】
請求項１〜５のいずれか１項に記載の肺模型において、前記充填材は、発泡性樹脂又は粉粒体であることを特徴とする肺模型。
【請求項７】
請求項１〜６のいずれか１項に記載の肺模型において、前記各肺葉を繋ぐ不全分葉、及び肺靱帯が設けられていることを特徴とする肺模型。
【考案の詳細な説明】
【技術分野】
【０００１】
本考案は、手術の練習を行うための解剖学的に正確な肺模型に関する。
【背景技術】
【０００２】
医学生や修練医が手術の練習あるいは修練をする場合、人体（生体あるいは実際の患者）の代替として、例えば、豚等の動物、解剖実習用の遺体等を使用するか、コンピュータによるシミュレーション（例えば、特許文献１参照）によって行っている。
また、従来では、開胸による肺葉切除等の手術を行っていたが、現在では人体に開けた複数の孔から内視鏡及び手術器具等を挿入し、モニタに映し出される内視鏡からの映像を見ながら行う胸腔鏡手術が主流になっており、臓器の正確な立体配置を把握することが重要になっている。
【０００３】
【特許文献１】特開２００４−５１８１７５号公報
【考案の開示】
【考案が解決しようとする課題】
【０００４】
しかしながら、（１）動物を用いた練習の場合には、人体と血管等の配置が異なり、動物の解剖を覚えなければならないという問題や、動物で手術練習が出来る施設（現在、国内に２施設）が少ないので練習の場所や人数、時間が限られるという問題があった。また、血液等による汚染や感染の恐れと共に、飼育する時間及び費用が必要であるという問題もあった。
（２）遺体を用いた練習では、解剖は人体そのものであるが、倫理上の問題があった。
（３）コンピュータシミュレーションによる練習では、手術機器の操作は可能であるが、視覚や触覚を実際の手術と同様に再現するにはまだまだ技術が発展しておらず、例えば、血管の切断等の処置をした際に手応えがないという問題があった。また、シミュレーションに使用される機器が高価であるという問題もあった。
【０００５】
本考案はかかる事情に鑑みてなされたもので、手術の練習が可能な解剖学的に正確な肺模型を提供することを目的とする。
【課題を解決するための手段】
【０００６】
前記目的に沿う第１の考案に係る肺模型は、左肺の第１〜第６の左肺動脈、第１〜第４の左肺静脈、第１〜第３の左気管支、及び第１、第２の左肺葉を模式化した肺模型であって、
ベース板と、
前記ベース板にその一端が取付けられ、前記６つの左肺動脈、前記４つの左肺静脈、及び前記３つの左気管支をそれぞれ模式化した屈曲可能な弾性体からなる第１〜第１３の棒状体と、
前記第１〜第１３の棒状体を介して前記ベース板に取付けられ、内部に柔軟性を有する充填材が充填され、前記２つの左肺葉を模式化した第１及び第２の袋体とを有し、
前記第１〜第６の棒状体、前記第７〜第１０の棒状体、及び前記第１１〜第１３の棒状体がそれぞれ色分けされ、
しかも、前記第１〜第４、第７、第８、第１１、及び第１２の棒状体は他端が前記第１の袋体に接続され、前記第５、第６、第９、第１０、及び第１３の棒状体は他端が前記第２の袋体に接続され、前記第１〜第１３の棒状体が前記ベース板と、前記第１及び第２の袋体とに立体的に取付けられている。
【０００７】
前記目的に沿う第２の考案に係る肺模型は、右肺の第１〜第６の右肺動脈、第１〜第５の右肺静脈、第１〜第３の右気管支、第１〜第３の右肺葉、及び奇静脈を模式化した肺模型であって、
ベース板と、
前記ベース板にその一端が取付けられ、前記６つの右肺動脈、前記５つの右肺静脈、前記３つの右気管支、及び奇静脈をそれぞれ模式化した屈曲可能な弾性体からなる第１〜第１５の棒状体と、
前記第１〜第１４の棒状体を介して前記ベース板に取付けられ、内部に柔軟性を有する充填材が充填され、前記３つの右肺葉を模式化した第１〜第３の袋体とを有し、
前記第１〜第６の棒状体、前記第７〜第１１の棒状体、前記第１２〜第１４の棒状体、及び前記第１５の棒状体がそれぞれ色分けされ、
しかも、前記第１、第２、第７、第８、及び第１２の棒状体は他端が前記第１の袋体に接続され、前記第３、第４、第９、及び第１３の棒状体は他端が前記第２の袋体に接続され、前記第５、第６、第１０、第１１、及び第１４の棒状体は他端が前記第３の袋体に接続され、前記第１５の棒状体は両端が前記ベース板に接続され、
前記第１〜第１４の棒状体が前記ベース板と、前記第１〜第３の袋体とに立体的に取付けられている。
【０００８】
第１及び第２の考案に係る肺模型において、前記棒状体は、手術器具で切断可能であるのが好ましい。
第１及び第２の考案に係る肺模型において、前記棒状体は、スポンジ、ゴム、及びシリコンのいずれか１又は２以上によって形成されているのが好ましい。
第１及び第２の考案に係る肺模型において、前記ベース板には、人体内部の構造が描かれているのが好ましい。
第１及び第２の考案に係る肺模型において、前記充填材は、発泡性樹脂又は粉粒体であってもよい。
第１及び第２の考案に係る肺模型において、前記各肺葉を繋ぐ不全分葉、及び肺靱帯が設けられているのが好ましい。
【考案の効果】
【０００９】
請求項１及びこれに従属する請求項３〜７に記載の肺模型においては、６つの左肺動脈、４つの左肺静脈、及び３つの左気管支をそれぞれ模式化した屈曲可能な弾性体からなる第１〜第１３の棒状体が、ベース板と、２つの左肺葉を模式化した第１及び第２の袋体とに立体的に取付けられ、しかも、左肺動脈、左肺静脈、及び左気管支毎に色分けされているので、解剖学的に正確であり、左肺の手術の練習が可能である。
【００１０】
請求項２及びこれに従属する請求項３〜７に記載の肺模型においては、６つの右肺動脈、５つの右肺静脈、３つの右気管支、及び奇静脈をそれぞれ模式化した屈曲可能な弾性体からなる第１〜第１５の棒状体を備え、第１〜第１４の棒状体が、ベース板と、３つの右肺葉を模式化した第１〜第３の袋体とに立体的に取付けられ、しかも、右肺動脈、右肺静脈、右気管支、及び奇静脈が色分けされているので、解剖学的に正確であり、右肺の手術の練習が可能である。
【００１１】
特に、請求項３記載の肺模型においては、棒状体が手術器具で切断可能であるので、手術器具を使用した練習が可能である。
請求項４記載の肺模型においては、棒状体が、スポンジ、ゴム、及びシリコンのいずれか１又は２以上によって形成されているので、実際の血管、気管支に近い物理的特性を有し、手術と同じ感覚で手術の練習ができる。
【００１２】
請求項５記載の肺模型においては、ベース板に人体内部の構造が描かれているので、実際の生体内での見え方を再現できる。
請求項６記載の肺模型においては、充填材が発泡性樹脂又は粉粒体であるので、袋体の弾力性が実際の生体に近くなる。
請求項７記載の肺模型においては、各肺葉を繋ぐ不全分葉、及び肺靱帯が設けられているので、実際の生体に近い。
【考案を実施するための最良の形態】
【００１３】
続いて、添付した図面を参照しつつ、本考案を具体化した実施の形態につき説明し、本考案の理解に供する。
ここで、図１は本考案の第１の実施の形態に係る肺模型の正面図、図２は同肺模型の側面図、図３は同肺模型のベース板の説明図、図４は同肺模型を使用した手術の練習方法の説明図、図５は本考案の第２の実施の形態に係る肺模型の正面図、図６は同肺模型の側面図、図７は同肺模型のベース板の説明図である。
【００１４】
図１〜図３に示すように、本考案の第１の実施の形態に係る肺模型は左肺の模型（以下、左肺模型１０という）であって、左肺模型１０は、人体の左肺の６つ（第１〜第６）の左肺動脈（左上Ａ１、左上Ａ２、左上Ａ３、左上Ａ４、左主Ａ、左下Ａ１）と、４つ（第１〜第４）の左肺静脈（左上Ｖ１、左上Ｖ２、左下Ｖ１、左下Ｖ２）と、３つ（第１〜第３）の左気管支（左上１、左上２、左下）と、２つ（第１、第２）の左肺葉（左上肺葉及び左下肺葉）とが解剖学的に模式化されている。
【００１５】
左肺模型１０は、人体の左肺と右肺とを縦に隔てている部分に相当する縦隔を模式化したベース板１１と、ベース板１１にその一端が取付けられ、左肺の６つの左肺動脈、４つの左肺静脈、及び３つの左気管支をそれぞれ模式化した屈曲可能な弾性体（例えば、弾性体の一例であるスポンジ）からなって、手術器具によって切断可能な第１〜第１３の棒状体１２〜２４と、第１〜第１３の棒状体１２〜２４を介してベース板１１に取付けられ、内部に柔軟性を有する発泡性樹脂からなる充填材２５が充填され、２つの左肺葉を模式化した、例えば、発泡スチロール製のシートで形成された第１及び第２の袋体２６、２７とを有し、第１〜第１３の棒状体１２〜２４がベース板１１と、第１及び第２の袋体２６、２７に立体的に配置されている。以下、詳しく説明する。
【００１６】
図３に示すように、ベース板１１には、左肺動脈の左主Ａを示す第５の棒状体１６、左肺静脈の左上Ｖ１を示す第７の棒状体１８、左肺静脈の左下Ｖ１を示す第９の棒状体２０、及び、左気管支の左下を示す第１３の棒状体２４の取付け位置をそれぞれ示す取付指標２８〜３１が描かれている。また、ベース板１１には、大動脈、リンパ節等の人体内部の構造を示す生体指標３２が描かれている。
【００１７】
ここで、取付指標２８に基部が取付けられた第５の棒状体１６には、第１〜第４及び第６の棒状体１２〜１５、１７の基部が連結され、第１〜第４の棒状体１２〜１５の先部は第１の袋体２６に接続され、第５及び第６の棒状体１６、１７の先部は第２の袋体２７に接続されている。
【００１８】
また、取付指標２９に基部が取付けられた第７の棒状体１８には、第８の棒状体１９の基部が連結され、第７及び第８の棒状体１８、１９の先部は第１の袋体２６に接続されている。取付指標３０に基部が取付けられた第９の棒状体２０には、第１０の棒状体２１の基部が連結され、第９及び第１０の棒状体２０、２１の先部は第２の袋体２７に接続されている。
【００１９】
更に、取付指標３１に基部が取付けられた第１３の棒状体２４には、第１１及び第１２の棒状体２２、２３の基部が連結され、第１１及び第１２の棒状体２２、２３の先部は第１の袋体２６に接続され、第１３の棒状体２４の先部は第２の袋体２７に接続されている。
【００２０】
左肺動脈を示す第１〜第６の棒状体１２〜１７は白色に、左肺静脈を示す第７〜第１０の棒状体１８〜２１は青色に、左気管支を示す第１１〜第１３の棒状体２２〜２４は黄色に、左肺葉を示す第１及び第２の袋体２６、２７はピンクに着色されて、実際の生体（人体）と近い色合いになっている。
【００２１】
更に、左肺模型１０には、第１及び第２の袋体２６、２７を連結し、各肺葉を繋ぐ不全分葉を模式化したピンクのスポンジで形成された連結部材３３と、第１及び第２の袋体２６、２７とベース板１１とをそれぞれ連結し、肺靱帯を模式化したピンクのスポンジで形成された連結部材３４、３５とを備えている。
【００２２】
次に、図４を参照して、人体の左側側部に開けた複数の孔から内視鏡及び手術器具等を挿入し、モニタに映し出される内視鏡からの映像を見ながら行う胸腔鏡手術の練習を左肺模型１０を使用して行う方法について説明する。
周囲を囲む不透明な素材で形成されたかまぼこ型の蓋４０を有し、蓋４０の側面に内視鏡４１及び手術器具の一例である鋏４２等を挿入する複数の貫通孔４３を備え人体の胸部を模式化した容器４４と、内視鏡４１からの映像を映し出すモニタ４５とを有し、容器４４内に配置した左肺模型１０を、貫通孔４３を介して容器４４内に挿入した内視鏡４２で撮影して、モニタ４５に映し出される映像を見ながら、鋏４２で左肺模型１０の第１〜第１３の棒状体１２〜２４のいずれか１又は２以上を切断する。なお、蓋を透明な素材で形成してもよく、この場合作業以外の人は、その手順を直接見ることができる。
【００２３】
図５〜図７を参照して、本考案の第２の実施の形態に係る肺模型（右肺を模式化したものであって、以下右肺模型５０という）について説明する。なお、左肺模型１０と同一の構成要素については同一の番号を付してその詳しい説明を省略する。
右肺模型５０は、人体の右肺の６つ（第１〜第６）の右肺動脈（右上Ａ１、右上Ａ２、右中Ａ１、右中Ａ２、右主Ａ、右下Ａ１）と、５つ（第１〜第５）の右肺静脈（右上Ｖ１、右上Ｖ２、右中Ｖ１、右下Ｖ１、右下Ｖ２）と、３つ（第１〜第３）の右気管支（右上、右中、右下）と、３つ（第１〜第３）の右肺葉（右上肺葉、右中肺葉、右下肺葉）と、１つの奇静脈とを解剖学的に模式化したものである。
【００２４】
右肺模型５０は、人体の左肺と右肺とを縦に隔てている部分に相当する縦隔を模式化したベース板５１と、ベース板５１にその一端が取付けられ、６つの右肺動脈、５つの右肺静脈、３つの右気管支、及び奇静脈をそれぞれ模式化した屈曲可能な弾性体（例えば、弾性体の一例であるスポンジ）からなって、手術器具によって切断可能な第１〜第１５の棒状体５２〜６６と、第１〜第１４の棒状体５２〜６５を介してベース板５１に取付けられ、内部に柔軟性を有する発泡性樹脂からなる充填材２５が充填され、３つの右肺葉を模式化した、例えば、発泡スチロール製のシートで形成された第１〜第３の袋体６７〜６９とを有し、第１〜第１４の棒状体５２〜６５がベース板５１と、第１〜第３の袋体６７〜６９に立体的に配置されている。
【００２５】
図７に示すように、ベース板５１には、右肺動脈の右上Ａ１を示す第１の棒状体５２、右肺動脈の右主Ａを示す第５の棒状体５６、右肺静脈の右上Ｖ１を示す第７の棒状体５８、右肺静脈の右下Ｖ１を示す第１０の棒状体６１、及び右気管支の右下を示す第１４の棒状体６５のそれぞれの基部の取付け位置を示す取付指標７０〜７４と、奇静脈を示す第１５の棒状体６６の両端の取付け位置を示す取付指標７５、７６とが描かれている。更に、ベース板５１には、気管、大動脈、上大静脈、リンパ節等の人体内部の構造を示す生体指標７７が描かれている。
【００２６】
ここで、取付指標７０に基部が取付けられた第１の棒状体５２の先部は第１の袋体６７に接続されている。また、取付指標７１に基部が取付けられた第５の棒状体５６には、第２〜第４及び第６の棒状体５３〜５５、５７の基部が連結され、第２の棒状体５３の先部は第１の袋体６７に接続され、第３及び第４の棒状体５４、５５の先部は第２の袋体６８に接続され、第５及び第６の棒状体５６、５７の先部は第３の袋体６９に接続されている。
【００２７】
取付指標７２に基部が取付けられた第７の棒状体５８には、第８及び第９の棒状体５９、６０の基部が連結され、第７及び第８の棒状体５８、５９の先部は第１の袋体６７に接続され、第９の棒状体６０の先部は第２の袋体６８に接続されている。更に、取付指標７３に基部が取付けられた第１０の棒状体６１には、第１１の棒状体６２の基部が連結され、第１０及び第１１の棒状体６１、６２の先部は第３の袋体６９に接続されている。
【００２８】
また、取付指標７４に基部が取付けられた第１４の棒状体６５には、第１２及び第１３の棒状体６３、６４の基部が連結され、第１２の棒状体６３の先部は第１の袋体６７に接続され、第１３の棒状体６４の先部は第２の袋体６８に接続され、第１４の棒状体６５の先部は第３の袋体６９に接続されている。
更に、取付指標７５、７６には、第１５の棒状体６６の両端がそれぞれ接続されている。
【００２９】
右肺動脈を示す第１〜第６の棒状体５２〜５７は白色に、右肺静脈を示す第７〜第１１の棒状体５８〜６２は青色に、右気管支を示す第１２〜第１４の棒状体６３〜６５は黄色に、奇静脈を示す第１５の棒状体は青色に、右肺葉を示す第１〜第３の袋体６７〜６９はピンクに着色されて、実際の人体と近い色合いになっている。
【００３０】
更に、右肺模型５０は、第１及び第２の袋体６７、６８と、第２及び第３の袋体６８、６９と、第３及び第１の袋体６９、６７とをそれぞれ連結し、各肺葉を繋ぐ不全分葉を模式化したピンクのスポンジで形成された連結部材７８〜８０と、第１〜第３の袋体６７〜６９とベース板５１とをそれぞれ連結する肺靱帯を模式化したピンクのスポンジで形成された連結部材８１〜８３とを備えている。
【００３１】
本考案は、前記した実施の形態に限定されるものではなく、本考案の要旨を変更しない範囲での変更は可能であり、例えば、前記したそれぞれの実施の形態や変形例の一部又は全部を組み合わせて本考案の肺模型を構成する場合も本考案の権利範囲に含まれる。
例えば、前記実施の形態の肺模型において、棒状体を棒状としたが、管状に形成してもよい。また、棒状体をスポンジで形成したが、ゴム又はシリコン等の弾性体を単独で又はこれらを組み合わせて形成してもよい。また、袋体を発泡スチロール製のシートで形成したが、紙等で形成してもよい。更に、充填材をスポンジで形成したが、粉粒体でもよい。また、棒状体及び袋体に着色したが、肺動脈、肺静脈、気管支、奇静脈が区別できればどのような色であってもよい。
【図面の簡単な説明】
【００３２】
【図１】本考案の第１の実施の形態に係る肺模型の正面図である。
【図２】同肺模型の側面図である。
【図３】同肺模型のベース板の説明図である。
【図４】同肺模型を使用した手術の練習方法の説明図である。
【図５】本考案の第２の実施の形態に係る肺模型の正面図である。
【図６】同肺模型の側面図である。
【図７】同肺模型のベース板の説明図である。
【符号の説明】
【００３３】
１０：左肺模型、１１：ベース板、１２〜２４：第１〜第１３の棒状体、２５：充填材、２６、２７：第１、第２の袋体、２８〜３１：取付指標、３２：生体指標、３３〜３５：連結部材、４０：蓋、４１：内視鏡、４２：鋏、４３：貫通孔、４４：容器、４５：モニタ、５０：右肺模型、５１：ベース板、５２〜６６：第１〜第１５の棒状体、６７〜６９：第１〜第３の袋体、７０〜７６：取付指標、７７：生体指標、７８〜８３：連結部材
【図１】
0003125070.tif 000003
【図２】
0003125070.tif 000004
【図３】
0003125070.tif 000005
【図４】
0003125070.tif 000006
【図５】
0003125070.tif 000007
【図６】
0003125070.tif 000008
【図７】
0003125070.tif 000009